(57)【要約】【課題】グラブドアの見栄えを高めつつ、キーシリンダに対する施錠や解錠の作業性を向上させることができるグローブボックスのロック機構を提供すること。【解決手段】グローブボックス３のロック機構２０は、インストルメントパネル２に形成されている開口２ａに対してグラブドア１０を閉じ状態にロック可能となっている。そして、グラブドア１０に組み付けられているノブ４０を押し込む操作をすると、このロックを解除可能となっている。ノブには、この押し込む操作を無効にするキーシリンダが備えられている。ノブは、グラブドアに対して枢着される格好で組み付けられている。キーシリンダは、ノブの枢着軸の軸寄りに組み付けられている。【選択図】図４
2015200064.tif 000002
【特許請求の範囲】
【請求項１】
インストルメントパネルに形成されている開口に対してグラブドアを閉じ状態にロック可能となっており、グラブドアに組み付けられているノブを押し込む操作をすると、このロックを解除可能となっており、ノブには、この押し込む操作を無効にするキーシリンダが備えられているグローブボックスのロック機構であって、
ノブは、グラブドアに対して枢着される格好で組み付けられており、
キーシリンダは、ノブの枢着軸の軸寄りに組み付けられていることを特徴とするグローブボックスのロック機構。
【発明の詳細な説明】
【技術分野】
【０００１】
本発明は、グローブボックスのロック機構に関する。
【背景技術】
【０００２】
従来より、自動車等のインストルメントパネルにおいて、助手席の向かいには、グローブボックスが設けられている。このグローブボックスのグラブドアに組み付けられているノブを押し込む操作をすると、グラブドアのロック機構のアンロックが行われる。したがって、グラブドアが自重によって開くため、インストルメントパネルに現れる開口の内側（または、グラブドアの内面）に形成されているボックスに物品を収納できる。ここで、下記特許文献１には、例えば、図９に示すように、ノブ１４０を押し込む操作を無効にするキーシリンダ１６０が備えられたグローブボックス１０３が開示されている。これにより、キーシリンダ１６０を鍵（図示しない）で施錠すると、グラブドア１１０を開けることができない。したがって、ボックスの内部の安全性を高めることができる。
【先行技術文献】
【特許文献】
【０００３】
【特許文献１】特開２００５−１０４１９２号公報
【発明の概要】
【発明が解決しようとする課題】
【０００４】
しかしながら、上述した特許文献１の技術では、図１０に示すように、見切りラインを少なくするといったグラブドア１１０の見栄えを高める観点から、キーシリンダ１６０はノブ１４０に組み付けられている。そのため、ユーザーが施錠や解錠するためにキーシリンダ１６０に鍵を挿し込む方向とアンロックするときのノブ１４０の押し込み操作の方向とが一致するため、この鍵の挿し込み動作にともなってノブ１４０が押し込まれる格好となる。したがって、ユーザーが施錠や解錠するためにキーシリンダ１６０に鍵を挿し込むと、ユーザーの意に反して、グラブドア１１０が開いてしまうといった問題が発生していた。この問題を解決するために、鍵の挿し込み力をユーザーが加減することが考えられた。しかしながら、この考えでは、ユーザーに対して手間を掛けさせることとなり、キーシリンダ１６０を施錠や解錠する作業性が悪化することとなっていた。
【０００５】
本発明は、このような課題を解決しようとするもので、その目的は、グラブドアの見栄えを高めつつ、キーシリンダに対する施錠や解錠の作業性を向上させることができるグローブボックスのロック機構を提供することを課題とする。
【課題を解決するための手段】
【０００６】
本発明は、上記の目的を達成するためのものであって、以下のように構成されている。
請求項１に記載の発明は、インストルメントパネルに形成されている開口に対してグラブドアを閉じ状態にロック可能となっている。また、この発明は、グラブドアに組み付けられているノブを押し込む操作をすると、このロックを解除可能となっている。ノブには、この押し込む操作を無効にするキーシリンダが備えられている。ノブは、グラブドアに対して枢着される格好で組み付けられている。キーシリンダは、ノブの枢着軸の軸寄りに組み付けられている。
【０００７】
この発明によれば、キーシリンダがノブそのものに組み付けられているため、キーシリンダの見切りラインをノブの中に収めることができる。したがって、グラブドアにおける見切りラインを少なくできるため、グラブドアの見栄えを高めることができる。また、ノブにおいて、ユーザーから向かって、例えば、左側がロック機構をアンロックするための押し込む部位となっている。そして、キーシリンダの施錠や解錠を行うために、誤って、ノブにおいて、ユーザーから向かって、例えば、右側の部位を押し込む操作を行ってしまっても、２つの距離（ノブを押し込む部位とノブの枢着軸との距離と、キーシリンダとノブの枢着軸との距離）のモーメント比から、この右側の部位に大きな押し込み荷重を作用させなければ、ノブを回転させることができない。そのため、ユーザーの意に反して、グラブドアが開いてしまうことがない。したがって、鍵の挿し込み力をユーザーが加減することが不要となるため、キーシリンダに対する施錠や解錠の作業性を向上させることができる。
【図面の簡単な説明】
【０００８】
【図１】本発明の実施例に係る自動車の室内の斜視図である。
【図２】図１のグローブボックスのロック機構の斜視図である。
【図３】図２の分解図である。
【図４】図２の向きを変えたものである。
【図５】図２のロック機構の平面模式図であり、ノブの操作前の状態を示している。
【図６】図５において、ノブを操作した状態を示している。
【図７】図２のロック機構の正面模式図であり、キーシリンダの施錠前の状態を示している。
【図８】図７において、キーシリンダを施錠した状態を示している。
【図９】従来技術に係る自動車の室内の斜視図である。
【図１０】図９のグローブボックスのロック機構の斜視図である。
【発明を実施するための形態】
【０００９】
以下、本発明を実施するための形態を、図１〜８を用いて説明する。まず、図１〜４を参照して、本発明の実施例に係るグローブボックス３の全体構成を説明する。このグローブボックス３は、主として、グラブドア１０と、ロック機構２０とから構成されている。以下に、これらグラブドア１０と、ロック機構２０とを個別に説明していく。
【００１０】
はじめに、グラブドア１０から説明していく。グラブドア１０は、図１に示すように、自動車等の車両１のインストルメントパネル２において、助手席（図示しない）の向かいに設けられた開口２ａを塞ぎ可能に形成された樹脂製のインナドア（図示しない）と意匠面を成す樹脂製のアウタドア１４とから構成されている。これらインナドアとアウタドア１４とは、後述するロック機構２０を挟み込む格好を成すように、例えば、振動溶着によって組み付けられている。
【００１１】
そして、これらインナドアとアウタドア１４とから構成されるグラブドア１０は、その左右の下端がインストルメントパネル２の開口２ａの左右の縁にヒンジピン（図示しない）によって結合されている。これにより、インストルメントパネル２に対してグラブドア１０を回転させて開口２ａを開けた開位置と開口２ａを閉めた閉位置とに切り替えることができる。したがって、インストルメントパネル２の開口２ａの内側に形成のボックスに物品（いずれも図示しない）を収納できる。
【００１２】
次に、ロック機構２０を説明する。ロック機構２０は、図２〜４に示すように、主として、ベース３０と、ノブ４０と、キーシリンダ６０と、連結カム７０と、左右に対を成すスライドロッド８０、８０とから構成されている。ベース３０は、アウタドア１４に形成されている矩形状の開口１４ａを塞ぐようにアウタドア１４の内面にビス等（図示しない）によって組み付けられている。
【００１３】
また、ノブ４０もベース３０に対応するように矩形状に形成されており、ユーザーから向かって右側の上下には回転軸４２、４２が形成されている。このノブ４０は、回転軸４２、４２を介してベース３０にヒンジ結合されている。このとき、ベース３０とノブ４０との間には、圧縮ばね５０が組み付けられている。そのため、このノブ４０の左側の部位を押し込む操作すると、圧縮ばね５０が撓んでいく。
【００１４】
なお、この押し込む操作を解除すると、圧縮ばね５０の復元力によってノブ４０は押し込む操作を行う前の状態に戻される。また、このノブ４０に形成されている抜け防止爪４４がベース３０に引っ掛かっているため、圧縮ばね５０の復元力によってノブ４０が押し込む操作を行う前の状態に戻されるときでも、この戻しが大きくなることを防止できる。
【００１５】
また、ノブ４０において、ユーザーから向かって右側（回転軸４２、４２が形成されている側）には、貫通孔４０ａが形成されている。このノブ４０には、その貫通孔４０ａに挿し込まれる格好でキーシリンダ６０が組み付けられている。この記載が、特許請求の範囲に記載の「キーシリンダは、ノブの枢着軸の軸寄りに組み付けられている」に相当する。また、ベース３０において、ユーザーから向かって奥側の面には、連結カム７０が回転可能に組み付けられている。この連結カム７０の一対のアーム７２、７２には、スライドロッド８０、８０の各基端が連結されている。
【００１６】
このスライドロッド８０、８０は、その各先端がグラブドア１０（この例では、インナドア）の左右から進退可能となるように、アウタドア１４の内面に形成のガイド孔（図示しない）を介してスライド可能に組み付けられている。これにより、一方のスライドロッド８０をスライドさせると、このスライドに同期して他方のスライドロッド８０もスライドさせることができる。
【００１７】
なお、例えば、ユーザーから向かって右側のスライドロッド８０は、常時、その先端がグラブドア１０の右側から進出した状態となるように、引っ張りばね（図示しない）を介して組み付けられている。そのため、左側のスライドロッド８０も、常時、その先端がグラブドア１０の左側から進出した状態となっている。
【００１８】
したがって、グラブドア１０がインストルメントパネル２の開口２ａを閉じた閉位置にあるとき、左右のスライドロッド８０、８０の各先端がグラブドア１０の左右から進出してインストルメントパネル２の開口２ａの縁の左右に形成されている引掛孔（図示しない）に引っ掛かった状態になると、グラブドア１０がインストルメントパネル２に対してロックされた状態となる。このロックされた状態をロック機構２０のロック状態と記すこととする。
【００１９】
一方、このロック状態から、左右のスライドロッド８０、８０の各先端の引掛孔に対する引っ掛かりを解消した状態になると、すなわち、左右のスライドロッド８０、８０の各先端がグラブドア１０の左右に退行した状態に戻されると、グラブドア１０がインストルメントパネル２に対してアンロックされた状態となる。このアンロックされた状態をロック機構２０のアンロック状態と記すこととする。
【００２０】
これらグラブドア１０と、ロック機構２０とからグローブボックス３は構成されている。
【００２１】
続いて、図４〜８を参照して、上述したグローブボックス３のロック機構２０の動作を説明する。この説明にあたって、グラブドア１０が閉位置において、ロック機構２０がロック状態にあるときから説明する（図５参照）。この状態から、ノブ４０の左側の部位を押し込む操作を行うと、圧縮ばね５０の付勢力に抗してノブ４０が回転軸４２、４２の軸回りに回転していく（図６参照）。すると、ノブ４０の裏側に形成されている突起４６が連結カム７０の裏側に形成されている第１の突起７４の傾斜面７４ａを押し込んでいく（図４参照）。
【００２２】
これにより、連結カム７０が、図４において、矢印方向に回転していくため、左右のスライドロッド８０、８０の各先端が引掛孔から退行していく。そのため、ロック機構２０のアンロックが行われる。したがって、グラブドア１０が自重によって開く（開位置に到達する）ため、インストルメントパネル２に現れる開口２ａの内側（または、グラブドア１０の内面）に形成されているボックス（図示しない）に物品を収納できる。
【００２３】
なお、このノブ４０を押し込む操作を解除すると、圧縮ばね５０の復元力によってノブ４０は押し込む操作を行う前の状態に戻されるため、左右のスライドロッド８０、８０も退行する前の状態に戻される。また、開いたグラブドア１０を押し込んでいくと（閉位置に戻すと）、左右のスライドロッド８０、８０が引掛孔に進出した状態に戻されるため、ロック機構２０もロック状態に戻される。
【００２４】
一方、グラブドア１０が閉位置において、ロック機構２０がロック状態にあるとき（図７参照）、キーシリンダ６０を施錠する操作を行うと、キーシリンダ６０の裏側に形成されている突起６２が回転していく（図８参照）。すると、この突起６２が連結カム７０に形成されている第２の突起７６に干渉する。
【００２５】
これにより、連結カム７０の回転が規制されるため、ノブ４０の左側の部位を押し込む操作を行うことができない。すなわち、ノブ４０の左側の部位を押し込む操作が無効となる。なお、キーシリンダ６０を解錠する操作を行うと、キーシリンダ６０の突起６２も回転する前の状態に戻されるため、ノブ４０の左側の部位を押し込む操作を行うことができる。
【００２６】
本発明の実施例に係るグローブボックス３のロック機構２０は、上述したように構成されている。この構成によれば、ノブ４０は、ユーザーから向かって左側の部位を押し込まれる操作を受け付けると、ロック機構２０のアンロックが行われるようにグラブドア１０にヒンジ結合されている。また、施錠すると、この押し込まれる操作を無効にするキーシリンダ６０は、ノブ４０そのものにおいて、ユーザーから向かって右側に組み付けられている。このようにキーシリンダ６０がノブ４０そのものに組み付けられているため、キーシリンダ６０の見切りラインをノブ４０の中に収めることができる。したがって、グラブドア１０における見切りラインを少なくできるため、グラブドア１０の見栄えを高めることができる。また、ノブ４０において、ユーザーから向かって左側がロック機構２０をアンロックするための押し込む部位となっている。なお、以降における説明の便宜上、この押し込む部位と回転軸４２、４２との距離をＡと記すこととする。これと同様に、キーシリンダ６０と回転軸４２、４２との距離をＢと記すこととする。そして、キーシリンダ６０の施錠や解錠を行うために、誤って、ノブ４０において、ユーザーから向かって右側の部位を押し込む操作を行ってしまっても、距離Ａと距離Ｂとのモーメント比から、この右側の部位に大きな押し込み荷重を作用させなければ、ノブ４０を回転させることができない。したがって、ユーザーの意に反して、グラブドア１０が開いてしまうことがない。結果として、鍵の挿し込み力をユーザーが加減することが不要となるため、キーシリンダ６０に対する施錠や解錠の作業性を向上させることができる。
【００２７】
上述した内容は、あくまでも本発明の一実施の形態に関するものであって、本発明が上記内容に限定されることを意味するものではない。実施例では、ノブ４０の右側がグラブドア１０に枢着され、キーシリンダ６０はノブ４０の右側に組み付けられている形態を説明した。しかし、この右側に限定されるものでなく、左側、上側および下側であっても構わない。
【符号の説明】
【００２８】
２      インストルメントパネル
２ａ    開口
３      グローブボックス
１０    グラブドア
２０    ロック機構
４０    ノブ
４２    回転軸（枢着軸）
６０    キーシリンダ
【図１】
2015200064.tif 000003
【図２】
2015200064.tif 000004
【図３】
2015200064.tif 000005
【図４】
2015200064.tif 000006
【図５】
2015200064.tif 000007
【図６】
2015200064.tif 000008
【図７】
2015200064.tif 000009
【図８】
2015200064.tif 000010
【図９】
2015200064.tif 000011
【図１０】
2015200064.tif 000012